(57)【要約】【課題】暗闇でスライドファスナーを確認することができるスライドファスナーを提供する。【解決手段】一対のファスナーテープ２０と、一対のファスナーテープ２０の対向するテープ側縁部２０ａに縫い糸３３によりそれぞれ縫い付けられ、複数のファスナーエレメント３１を有する一対のファスナーエレメント列３０と、一対のファスナーエレメント列３０を噛合・分離させるスライダー４０と、を備え、縫い糸３３に蓄光糸が使用される。【選択図】図１
0003178627.tif 000002
【実用新案登録請求の範囲】
【請求項１】
一対のファスナーテープ（２０）と、
前記一対のファスナーテープ（２０）の対向するテープ側縁部（２０ａ）に縫い糸（３３）によりそれぞれ縫い付けられ、複数のファスナーエレメント（３１）を有する一対のファスナーエレメント列（３０）と、
前記一対のファスナーエレメント列（３０）を噛合・分離させるスライダー（４０）と、を備えるスライドファスナー（１０）であって、
前記縫い糸（３３）に蓄光糸が使用されることを特徴とするスライドファスナー（１０）。
【請求項２】
前記ファスナーエレメント列（３０）は、合成樹脂製のモノフィラメントを一定方向に巻回すことにより形成されるコイル状のファスナーエレメント列であることを特徴とする請求項１に記載のスライドファスナー（１０）。
【請求項３】
前記一対のファスナーテープ（２０）の長さ方向に沿って蓄光糸（２１）が使用されることを特徴とする請求項１又は２に記載のスライドファスナー（１０）。
【考案の詳細な説明】
【技術分野】
【０００１】
本考案は、スライドファスナーに関する。
【背景技術】
【０００２】
従来のスライドファスナーとしては、コイル状のファスナーエレメント列の表面に再帰反射層を形成、又は、ファスナーエレメント列をファスナーテープに縫い付ける縫い糸の表面に再帰反射層を形成するものが知られている（例えば、特許文献１参照）。
【先行技術文献】
【特許文献】
【０００３】
【特許文献１】特開平１１−１５５６１５号公報
【考案の概要】
【考案が解決しようとする課題】
【０００４】
しかしながら、特許文献１に記載のスライドファスナーでは、再帰反射層は光を反射するものであるため、暗闇でスライドファスナーを確認することは困難であった。
【０００５】
本考案は、前述した事情に鑑みてなされたものであり、その目的は、暗闇でスライドファスナーを確認することができるスライドファスナーを提供することにある。
【課題を解決するための手段】
【０００６】
本考案の上記目的は、下記の構成により達成される。
（１）一対のファスナーテープと、一対のファスナーテープの対向するテープ側縁部に縫い糸によりそれぞれ縫い付けられ、複数のファスナーエレメントを有する一対のファスナーエレメント列と、一対のファスナーエレメント列を噛合・分離させるスライダーと、を備えるスライドファスナーであって、縫い糸に蓄光糸が使用されることを特徴とするスライドファスナー。
（２）ファスナーエレメント列は、合成樹脂製のモノフィラメントを一定方向に巻回すことにより形成されるコイル状のファスナーエレメント列であることを特徴とする（１）に記載のスライドファスナー。
（３）一対のファスナーテープの長さ方向に沿って蓄光糸が使用されることを特徴とする（１）又は（２）に記載のスライドファスナー。
【考案の効果】
【０００７】
本考案のスライドファスナーによれば、ファスナーエレメント列をファスナーテープに縫い付ける縫い糸に蓄光糸が使用されるため、スライドファスナーが発光して、暗闇でスライドファスナーを確認することができる。このため、例えば、夜間などにおいて、衣服に取り付けられたスライドファスナーが発光して、着用者の安全性を向上することができる。
【図面の簡単な説明】
【０００８】
【図１】本考案に係るスライドファスナーの一実施形態を説明する表面図である。
【図２】図１に示すスライドファスナーの断面図である。
【考案を実施するための形態】
【０００９】
以下、本考案に係るスライドファスナーの一実施形態について、図面を参照して詳細に説明する。なお、以後の説明において、ファスナーテープに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。スライダーとファスナーエレメントに関しては、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、ファスナーテープ及びスライダーの左右方向は幅方向とも言う。また、ファスナーテープの上下方向は長さ方向とも言う。
【００１０】
本実施形態のスライドファスナー１０は、図１に示すように、織編製された左右一対のファスナーテープ２０と、左右一対のファスナーテープ２０の対向するテープ側縁部２０ａにそれぞれ設けられ、複数のファスナーエレメント３１を有する左右一対のファスナーエレメント列３０と、左右一対のファスナーエレメント列３０を噛合・分離させるスライダー４０と、左右一対のファスナーエレメント列３０の上端部にそれぞれ設けられる上止部１１と、左右一対のファスナーエレメント列３０の下端部に設けられる下止部１２と、を備える。なお、下止部１２は、開き具であってもよい。
【００１１】
ファスナーエレメント列３０は、図２に示すように、合成樹脂製のモノフィラメントを一定方向に巻回すことにより形成されるコイル状のファスナーエレメント列であり、複数のファスナーエレメント３１を有している。そして、ファスナーエレメント列３０は、その内部に芯紐３２が挿通され、二重環縫いされる縫い糸３３によってファスナーテープ２０のテープ側縁部２０ａの表面（上面）に縫い付けられる。また、モノフィラメントの合成樹脂材料としては、ポリエステル及びナイロンなどを挙げることができる。
【００１２】
ファスナーエレメント３１は、相手方のファスナーエレメント３１と噛合・分離する噛合頭部３１ａと、噛合頭部３１ａの上端部から幅方向外側に延びる上脚部３１ｂと、噛合頭部３１ａの下端部から幅方向外側に延びる下脚部３１ｃと、上脚部３１ｂの幅方向外端部と隣り合うファスナーエレメント３１の下脚部３１ｃの幅方向外端部とを連結する連結部３１ｄと、を備える。
【００１３】
スライダー４０は、図１に示すように、胴体４１と、胴体４１の上面に設けられる引手取付部４２と、引手取付部４２に取り付けられる引手４３と、を備える。そして、スライダー４０を上止部１１側に移動することで、左右一対のファスナーエレメント列３０が噛合し、スライダー４０を下止部１２側に移動することで、左右一対のファスナーエレメント列３０が分離する。
【００１４】
そして、本実施形態では、縫い糸３３に蓄光糸（発光糸）が使用されており、暗闇で縫い糸３３がファスナーテープ２０の長さ方向に沿って直線状に発光するように構成されている。また、蓄光糸は、糸に発光性塗料を被着させたものや含浸させたものであり、この発光性塗料としては、蓄光性塗料、自発光性塗料、蛍光塗料、燐光塗料などを挙げることができる。
【００１５】
以上説明したように、本実施形態のスライドファスナー１０によれば、縫い糸３３に蓄光糸が使用されるため、スライドファスナー１０が発光して、暗闇でスライドファスナー１０を確認することができる。このため、例えば、夜間などにおいて、衣服に取り付けられたスライドファスナー１０が発光して、着用者の安全性を向上することができる。
【００１６】
なお、本考案は、上記実施形態に例示したものに限定されるものではなく、本考案の要旨を逸脱しない範囲において適宜変更可能である。
例えば、蓄光糸は、ファスナーテープを構成する糸に使用してもよい。具体的には、図１に示すように、左右一対のファスナーテープ２０の長さ方向に沿って蓄光糸２１が１列又は複数列で使用されていてもよい。
【符号の説明】
【００１７】
１０    スライドファスナー
２０    ファスナーテープ
２０ａ  テープ側縁部
２１    蓄光糸
３０    ファスナーエレメント列
３１    ファスナーエレメント
３３    縫い糸
４０    スライダー
【図１】
0003178627.tif 000003
【図２】
0003178627.tif 000004